(57)【要約】【課題】所望の設定画面までの経路の予測をできるだけ容易にする。【解決手段】記憶部１３は、複数の画像形成に関する設定画面からなり当該複数の設定画面に階層構造をもたせた設定画面群を記憶している。主表示制御部１８１は、携帯表示部２１に設定画面群に含まれる第１の設定画面を表示させ、表示された第１の設定画面に用意されている第１の設定画面の下位階層にある第２の設定画面に対応する選択肢が操作者により選択されたとき、第２の設定画面を第１の設定画面に代えて表示させる。補助表示制御部１８２は、携帯表示部２１に第２の設定画面が表示されたとき、本体表示部１１に第１の設定画面から最上位階層にある設定画面まで階層構造を遡る経路にある第３の設定画面を表示させる。【選択図】図１
2008224977.tif 000002
【特許請求の範囲】
【請求項１】
操作者が携帯している携帯表示部に接続可能な画像形成装置であって、
本体に設置された本体表示部と、
複数の画像形成に関する設定画面からなり当該複数の設定画面に階層構造をもたせた設定画面群を記憶している記憶手段と、
前記本体表示部及び前記携帯表示部の一方に、前記設定画面群に含まれる第１の設定画面を表示させ、表示された第１の設定画面に用意されている当該第１の設定画面の下位階層にある第２の設定画面に対応する選択肢が前記操作者により選択されたとき、前記第２の設定画面を前記第１の設定画面に代えて表示させる主表示制御手段と、
前記主表示制御手段により前記第２の設定画面が表示されたとき、前記本体表示部及び前記携帯表示部の他方に、前記第１の設定画面から最上位階層にある設定画面まで前記階層構造を遡る経路にある第３の設定画面を表示させる補助表示制御手段と
を備えることを特徴とする画像形成装置。
【請求項２】
前記補助表示制御手段は、前記第３の設定画面として前記最上位階層の設定画面を表示させること
を特徴とする請求項１に記載の画像形成装置。
【請求項３】
前記補助表示制御手段は、前記第３の設定画面として前記第１の設定画面を表示させること
を特徴とする請求項１に記載の画像形成装置。
【請求項４】
前記補助表示制御手段は、前記第２の設定画面の属性に応じて前記第３の設定画面として表示させる設定画面の選択基準を異ならせること
を特徴とする請求項１に記載の画像形成装置。
【請求項５】
前記補助表示制御手段は、
前記第２の設定画面が所定画面群に属さない場合に、前記第３の設定画面として最上位階層の設定画面を表示させ、
前記第２の設定画面が所定画面群に属する場合に、前記第３の設定画面として前記第１の設定画面を表示させること
を特徴とする請求項４に記載の画像形成装置。
【請求項６】
前記所定画面群は、前記階層構造における所定の設定画面の配下にある設定画面からなること
を特徴とする請求項５に記載の画像形成装置。
【請求項７】
前記所定画面群は、管理者により変更可能であること
を特徴とする請求項４に記載の画像形成装置。
【発明の詳細な説明】
【技術分野】
【０００１】
本発明は、MFP(Multi Functional Peripheral)に用いられる画像形成装置に関し、特に、所望の画像形成に関する設定画面を容易に探し出す技術に関する。
【背景技術】
【０００２】
一般に、画像形成装置では画像形成に関する設定画面をタッチパネルに表示させ、当該設定画面に用意された選択肢を操作者に選択させることにより、選択肢に対応する設定内容を登録することが行われている。また、全種類の設定項目をひとつの設定画面に一斉に表示するのはタッチパネルのサイズの関係上困難なので、設定項目に階層構造をもたせ、操作者の操作に基づいて上位階層から下位階層へと設定項目を切り替え表示させていき、最終的に、操作者が所望する設定項目にたどりつかせるということが行われている。複数種類の設定項目を組み合わせて画像形成させたい場合には、操作者は、ある設定項目を含む設定画面を探し出して設定内容を登録し、引き続き別の設定項目を含む設定画面を探し出して設定内容を登録するという作業を繰り返せばよい。
【特許文献１】特開平９−２９７５０３号公報
【発明の開示】
【発明が解決しようとする課題】
【０００３】
しかしながら、通常、設定内容を登録するための設定画面は階層構造の最下位階層にあるので、ある設定項目を含む設定画面を起点として別の設定項目を含む設定画面を探し出す場合には、最下位階層から最下位階層へと設定画面を遷移させることになり、どのような経路をたどればよいか操作者にとって予測しにくいことがある。特に近年、画像形成装置の高性能化及び多機能化に伴い、操作者により設定可能な項目が増加するとともに、階層構造の規模が拡大している。このような状況下では、所望の設定画面までの経路を予測するのがより困難になると考えられる。
【０００４】
そこで本発明は、操作者による階層構造の大局的な理解を助け、所望の設定画面までの経路の予測をできるだけ容易にする画像形成装置を提供することを目的とする。
【課題を解決するための手段】
【０００５】
本発明に係る画像形成装置は、操作者が携帯している携帯表示部に接続可能な画像形成装置であって、本体に設置された本体表示部と、複数の画像形成に関する設定画面からなり当該複数の設定画面に階層構造をもたせた設定画面群を記憶している記憶手段と、前記本体表示部及び前記携帯表示部の一方に、前記設定画面群に含まれる第１の設定画面を表示させ、表示された第１の設定画面に用意されている当該第１の設定画面の下位階層にある第２の設定画面に対応する選択肢が前記操作者により選択されたとき、前記第２の設定画面を前記第１の設定画面に代えて表示させる主表示制御手段と、前記主表示制御手段により前記第２の設定画面が表示されたとき、前記本体表示部及び前記携帯表示部の他方に、前記第１の設定画面から最上位階層にある設定画面まで前記階層構造を遡る経路にある第３の設定画面を表示させる補助表示制御手段とを備える。
【発明の効果】
【０００６】
上記構成によれば、本体表示部及び携帯表示部の一方に、操作者により選択された第２の設定画面が表示され、本体表示部及び携帯表示部の他方に第３の設定画面が表示される。第３の設定画面は、第２の設定画面よりも上位階層にある設定画面である。このように第３の設定画面を補助的に表示させることにより、操作者による階層構造の大局的な理解を助け、所望の設定画面までの経路の予測をできるだけ容易にすることができる。また上記構成によれば、携帯表示部を利用しているので、本体表示部のサイズを大きくすることなく上記効果を得ることができる。
【０００７】
また、前記補助表示制御手段は、前記第３の設定画面として前記最上位階層の設定画面を表示させることとしてもよい。画像形成装置の分野では、利用頻度の多い設定項目に関する選択肢は、最上位階層の設定画面に用意されることが多い。上記構成によれば、最上位階層の設定画面を表示させることにより、多くの場合に所望の設定画面までの経路の予測を容易にすることができる。
【０００８】
また、前記補助表示制御手段は、前記第３の設定画面として前記第１の設定画面を表示させることとしてもよい。階層構造の階層数が多くなれば、最上位階層の設定画面を表示させるよりも、ひとつ上位の階層の設定画面を表示させたほうが使い勝手がよい場合がある。上記構成によれば、ひとつ上位の階層の設定画面を表示させることにより、使い勝手を向上させることができる。
【０００９】
また、前記補助表示制御手段は、前記第２の設定画面の属性に応じて前記第３の設定画面として表示させる設定画面の選択基準を異ならせることとしてもよい。表示されている第２の設定画面の属性に応じて第３の設定画面の選択基準を異ならせたほうが使い勝手がよい場合がある。上記構成によれば、このような場合に使い勝手を向上させることができる。
【００１０】
また、前記補助表示制御手段は、前記第２の設定画面が所定画面群に属さない場合に、前記第３の設定画面として最上位階層の設定画面を表示させ、前記第２の設定画面が所定画面群に属する場合に、前記第３の設定画面として前記第１の設定画面を表示させることとしてもよい。表示されている第２の設定画面の属性に応じて、最上位階層の設定画面を補助的に表示させたほうが効果的な場合と、第１の設定画面を補助的に表示させたほうが効果的な場合とがある。上記構成によれば、第３の設定画面として効果的な設定画面を選択的に表示することにより、使い勝手を向上させることができる。
【００１１】
また、前記所定画面群は、前記階層構造における所定の設定画面の配下にある設定画面からなることとしてもよい。ここで「所定の設定画面の配下」とは、所定の設定画面よりも下位階層にある設定画面であって、最上位階層まで遡る経路に所定の設定画面があるような設定画面をいう。上記構成によれば、例えば、「応用設定」に関する設定画面であれば、第３の設定画面として第１の設定画面を表示させ、それ以外に関する設定画面であれば、第３の設定画面として最上位階層にある設定画面を表示させるというようなことができる。
【００１２】
また、前記所定画面群は、管理者により変更可能であることとしてもよい。この構成によれば、画像形成装置の利用環境に応じて適宜所定画面群を変更することができる。
【発明を実施するための最良の形態】
【００１３】
本発明を実施するための最良の形態を、図面を参照して詳細に説明する。
＜構成＞
図１は、本発明の実施の形態に係る画像形成装置、携帯端末及びこれらからなるシステムの構成を示す図である。
本システムは、画像形成装置１及び携帯端末２を備える。画像形成装置１は、例えば、MFP(Multi Functional Peripheral)である。携帯端末２は、例えば、携帯電話機、携帯情報端末、ウェアラブルコンピュータである。
【００１４】
画像形成装置１は、本体表示部１１、操作部１２、記憶部１３、画像読取部１４、画像形成部１５、認証部１６、通信部１７及び制御部１８を備える。
本体表示部１１は、画像形成に関する設定画面等を表示するものである。操作部１２は、操作者から操作を受け付けるものであり、具体的には操作パネルである。記憶部１３は、複数の画像形成に関する設定画面からなり複数の設定画面に階層構造をもたせてある設定画面群、画像形成の対象となる画像データ、操作者を認証するための認証用データ等の各種データや、画像読取機能、画像形成機能、画面表示機能等を実現するための各種プログラムを記憶するものである。具体的にはHDD、RAM、ROM等である。画像読取部１４は、原稿を読み取り画像データを生成するものである。画像形成部１５は、画像データに基づいて原稿を記録シートに印刷するものである。認証部１６は、操作者の認証を実施するものである。通信部１７は、外部との通信を実施するものである。制御部１８は、記憶部１３に記憶されている各種プログラムを実行することにより、各種機能を実現するものである。本実施の形態では、特に、画像形成に関する設定画面を表示する画面機能に着目して説明する。制御部１８は、主表示制御部１８１及び補助表示制御部１８２を備える。主表示制御部１８１は、本体表示部１１及び携帯表示部２１の一方（本実施の形態では携帯表示部２１）の画面表示を担当する。補助表示制御部１８２は、本体表示部１１及び携帯表示部２１の他方（本実施の形態では本体表示部１１）の画面表示を担当する。主表示制御部１８１及び補助表示制御部１８２の動作については、後に詳細に説明する。
【００１５】
携帯端末２は、携帯表示部２１、操作部２２、記憶部２３、通信部２４及び制御部２５を備える。
携帯表示部２１は、画面データに基づいて画面を表示するものである。操作部２２は、操作者から操作を受け付けるものである。記憶部２３は、各種データ及び各種プログラムを記憶するものである。通信部２４は、外部との通信を実施するものである。制御部２５は、記憶部２３に記憶されている各種プログラムを実行することにより、各種機能を実現するものである。
【００１６】
図２は、操作部１２の外観を示す図である。
操作部１２には、本体表示部１１としてのタッチパネル、及び各種キーが配置されている。本体表示部１１には操作のために必要な情報が表示される。操作者は、この表示内容に従い、各種キー及びタッチパネルに表示されたパネルキーを押下することで、画面操作、項目選択あるいは入力操作を行う。
【００１７】
操作部１２は、画像読取機能の選択キー３１、画像形成機能の選択キー３２、数値キー群３３、スタートキー３４、停止キー３５、リセットキー３６、ユーティリティ機能の選択キー３７、設定確認キー３８、画面操作キー群３９等を備える。ユーティリティ機能の選択キー３７は、画像形成装置１の管理者等がマシン設定を実施するときに用いられる。設定確認キー３８は、操作者が設定した各種項目を確認するときに用いられる。画面操作キー群３９は、画面の移動操作やカーソル操作を実施するときに用いられる。
【００１８】
画像形成装置１は、操作者により上記各種キーが押下されたとき、それに応じて本体表示部１１の表示内容を異ならせ、操作者に新たな操作を促す。このように画面表示と操作とが互いに応答して繰り返されることにより、操作者が所望とする動作が達成されることになる。したがって、操作者の操作にとって表示内容の適切さは重要な事項であり、より見やすく、わかりやすく、操作しやすい表示が望まれる。
＜基本動作＞
図３は、本発明の実施の形態に係る画像形成装置の基本動作を示す図である。
【００１９】
画像形成装置１は、電源投入後、複数の画像形成に関する設定画面のうちメイン画面を表示するための画面データを記憶部１３から取得する（ステップＳ１０１）。複数の画像形成に関する設定画面は階層構造を有しており、最上位階層にある設定画面がメイン画面である。また各設定画面は、最下位階層にある設定画面を除き、自己の下位階層にある設定画面を選択するための選択肢が用意されている。
【００２０】
画像形成装置１は、取得した画面データに基づいて、携帯端末２の携帯表示部２１にメイン画面を表示させるとともに（ステップＳ１０２）、本体表示部１１にもメイン画面を表示させ（ステップＳ１０３）、操作者から画面選択があるまで待機する（ステップＳ１０４：ＮＯ）。操作者からの画面選択は、操作部１２及び操作部２２により受け付けることができる。
【００２１】
画像形成装置１は、画面選択を受け付けたとき（ステップＳ１０４：ＹＥＳ）、選択された設定画面を表示するための画面データを記憶部１３から取得し（ステップＳ１０５）、取得した画面データに基づいて、携帯表示部２１に選択された設定画面を表示させる（ステップＳ１０６）。
このとき、画像形成装置１は、選択された設定画面が所定画面群に属していれば（ステップＳ１０７：ＹＥＳ）、画面選択を受け付けるまでに携帯表示部２１に表示されていた設定画面を、本体表示部１１に表示させる（ステップＳ１０８）。一方、画像形成装置１は、選択された設定画面が所定画面群に属していなければ（ステップＳ１０７：ＮＯ）、ステップＳ１０８をスキップする。所定画面群は、複数の画像形成に関する設定画面のうち予め定められた設定画面からなる。また所定画面群の構成は管理者により変更可能であるものとする。
【００２２】
画像形成装置１は、その後、操作者からメイン画面に戻る操作を受け付けるまで、ステップＳ１０４からステップＳ１０８までの一連の処理を繰り返す（ステップＳ１０９）。
以下に上記基本動作に基づく設定画面の表示例を説明する。
画像形成装置１に電源が投入されれば、本体表示部１１及び携帯表示部２１にはいずれもメイン画面が表示される（図４（ａ）、図４（ｂ））。この画面表示は、上記基本動作のステップＳ１０１乃至Ｓ１０３の一連の処理に基づく。メイン画面には、「基本設定」「集約／原稿」「画質／濃度」「応用設定」のタブが用意されている。なお、この例では、所定画面群は「応用設定」画面の配下にある設定画面からなることとする。
【００２３】
上記表示状態において、例えば操作者が「集約／原稿」を選択すれば、本体表示部１１にはメイン画面が表示され（図５（ａ））、携帯表示部２１には「集約／原稿」画面が表示される（図５（ｂ））。この画面表示は、上記基本動作のステップＳ１０４乃至Ｓ１０９の一連の処理に基づく。なおステップＳ１０７では「ＮＯ」、ステップＳ１０９では「ＮＯ」であると判定されている。
【００２４】
上記表示状態において、例えば操作者が「セット方向」を選択すれば、本体表示部１１にはメイン画面が表示され（図６（ａ））、携帯表示部２１には「設定方向」設定画面が表示される（図６（ｂ））。この画面表示は、上記基本動作のステップＳ１０４乃至Ｓ１０９の一連の処理に基づく。なおステップＳ１０７では「ＮＯ」、ステップＳ１０９では「ＮＯ」であると判定されている。
【００２５】
上記表示状態において、例えば選択者が「ＯＫ」を選択すれば、本体表示部１１及び携帯表示部２１にはいずれもメイン画面が表示される（図４（ａ）、図４（ｂ））。この画面表示は、上記基本動作のステップＳ１０９の処理に基づく。なおステップＳ１０９では「ＹＥＳ」であると判定されている。
このように操作者は本体表示部１１と携帯表示部２１との両方の表示を参照することができるので、容易に階層構造の大局的な理解をすることができる。したがって、容易に所望の設定画面にたどりつくことができる。また、上記の表示例では、携帯表示部２１に操作者により選択された設定画面が表示され、本体表示部１１にメイン画面が常時表示される。画像形成装置の分野では、利用頻度の多い設定項目に関する選択肢（例えば、用紙選択、倍率選択、片面／両面選択など）は、メイン画面に用意されることが多い。メイン画面を常時表示させることにより、多くの場合に所望の設定画面に容易にたどりつかせることができる。
【００２６】
次に、操作者が「応用設定」を選択したときの表示例を示す。「応用設定」画面の配下にある設定画面は所定画面群に属している。
例えば操作者が「応用設定」を選択したうえで「連写／リピート」を選択したとき、本体表示部１１には「応用設定」画面が表示され（図７（ａ））、携帯表示部２１には「連写／リピート」画面が表示される（図７（ｂ））。この画面表示は、上記基本動作のステップＳ１０４乃至Ｓ１０９の一連の処理に基づく。なおステップＳ１０７では「ＹＥＳ」、ステップＳ１０９では「ＮＯ」であると判定されている。
【００２７】
上記表示状態において、例えば操作者が「イメージリピート」を選択すれば、本体表示部１１には「連写／リピート」画面が表示され（図８（ａ））、携帯表示部２１には「イメージリピート」画面が表示される（図８（ｂ））。この画面表示は、上記基本動作のステップＳ１０４乃至Ｓ１０９の一連の処理に基づく。なおステップＳ１０７では「ＹＥＳ」、ステップＳ１０９では「ＮＯ」であると判定されている。
【００２８】
上記表示状態において、例えば操作者が「サイズ選択」を選択すれば、本体表示部１１には「イメージリピート」画面が表示され（図９（ａ））、携帯表示部２１には「サイズ選択」画面が表示される（図９（ｂ））。この画面表示は、上記基本動作のステップＳ１０４乃至Ｓ１０９の一連の処理に基づく。なおステップＳ１０７では「ＹＥＳ」、ステップＳ１０９では「ＮＯ」であると判定されている。
【００２９】
上記表示状態において、例えば選択者が「ＯＫ」を選択すれば、本体表示部１１及び携帯表示部２１にはいずれもメイン画面が表示される（図４（ａ）、図４（ｂ））。この画面表示は、上記基本動作のステップＳ１０９の処理に基づく。なおステップＳ１０９では「ＹＥＳ」であると判定されている。
上記の表示例では、携帯表示部２１に操作者により選択された設定画面が表示され、本体表示部１１に携帯表示部２１に表示されている設定画面のひとつ上位の階層の設定画面が表示される。例えば、「応用設定」のように利用頻度が低く階層数が多い設定画面群では、ひとつ上位の階層の設定画面を補助的に表示したほうが使い勝手がよい場合がある。このような場合に、ひとつ上位の階層の設定画面を表示させることにより、使い勝手を向上させることができる。
【００３０】
なお、本体表示部１１に常時メイン画面を表示させるモードを第１モード、本体表示部１１にひとつ上位の階層の設定画面を表示させるモードを第２モードとしたとき、第１モード、第２モード、自動選択モードを管理者に選択させることとしてもよい（図１０）。自動選択モードとは、予め定められた所定画面群であるか否かに応じて第１モードで表示するか第２モードで表示するかを決定するモードである。
＜ジョブリスト確認動作＞
図１１は、本発明の実施の形態に係る画像形成装置のジョブリスト確認動作を示す図である。
【００３１】
ジョブリスト確認動作は、ジョブリストを画面表示させるための動作である。
画像形成装置１は、操作者によりメイン画面において「ジョブリスト」が選択されたとき、ジョブリスト画面を表示するための画面データを記憶部１３から取得する（ステップＳ２０１）。ジョブリスト画面は、すでに実行されたジョブの種類や受付時間などを一覧表示するための画面である。実行されたジョブの数によっては、本体表示部１１だけでは一覧表示しきれない場合がある。このような時に、本実施の形態では連結表示を行う。連結表示とは、本体表示部１１と携帯表示部２１との両方を用いて、これらがあたかもひとつの表示部であるかのように表示させる表示方法である。
【００３２】
画像形成装置１は、本体表示部１１だけでは一覧表示しきれない場合（ステップＳ２０２：ＹＥＳ）、連結表示をするための表示画面処理を実施し（ステップＳ２０３）、携帯表示部２１及び本体表示部１１にジョブリスト画面を連結表示させる（ステップＳ２０４、Ｓ２０５）。一方、画像形成装置１は、本体表示部１１だけで一覧表示しきれる場合（ステップＳ２０２：ＮＯ）、本体表示部１１のみにジョブリスト画面を表示させる（ステップＳ２０５）。
【００３３】
画像形成装置１は、その後、操作者により画面移動操作又はジョブリスト確認動作の終了操作を受け付けるまで待機し（ステップＳ２０６：ＮＯ、Ｓ２０７：ＮＯ）、画面移動操作を受付ければ（ステップＳ２０６：ＹＥＳ）、更新画面を取得して（ステップＳ２０８）、新たに携帯表示部２１及び本体表示部１１にジョブリスト画面を連結表示させ（ステップＳ２０４、Ｓ２０５）、確認動作の終了操作を受付ければ（ステップＳ２０７：ＹＥＳ）、ジョブリスト確認動作を終了する。
【００３４】
以下に上記ジョブリスト確認動作に基づく画面表示例を説明する。
携帯表示部２１及び本体表示部１１にジョブリスト画面を連結表示させるとき、本体表示部１１にはジョブ番号が「１」から「４」までのジョブリストが表示され（図１２（ａ））、携帯表示部２１にはジョブ番号が「５」から「８」までのジョブリストが表示される（図１２（ｂ））。この画面表示は、上記ジョブリスト確認動作のステップＳ２０１乃至Ｓ２０５の一連の処理に基づく。なおステップＳ２０２では「ＹＥＳ」であると判定されている。
【００３５】
上記表示状態において、例えば操作者が「ページダウン」を選択すれば、本体表示部１１にはジョブ番号が「５」から「８」までのジョブリストが表示され（図１３（ａ））、携帯表示部２１にはジョブ番号が「９」から「１２」までのジョブリストが表示される（図１３（ｂ））。この画面表示は、上記ジョブリスト確認動作のステップＳ２０６及びＳ２０８の処理に基づく。なおステップＳ２０６では「ＹＥＳ」であると判定されている。
【００３６】
上記表示状態において、例えば操作者が「ページダウン」を選択すれば、本体表示部１１にはジョブ番号が「９」から「１２」までのジョブリストが表示され（図１４（ａ））、携帯表示部２１にはジョブ番号が「１３」から「１６」までのジョブリストが表示される（図１４（ｂ））。この画面表示は、上記ジョブリスト確認動作のステップＳ２０６及びＳ２０８の処理に基づく。なおステップＳ２０６では「ＹＥＳ」であると判定されている。
【００３７】
上記表示状態において、例えば操作者が「右移動」を選択すれば、本体表示部１１にはジョブ番号が「１３」から「１６」までのジョブリストが表示され（図１５（ａ））、携帯表示部２１にはジョブ番号が「１３」から「１６」までのジョブリストの右半分が表示される（図１５（ｂ））。この画面表示は、上記ジョブリスト確認動作のステップＳ２０６及びＳ２０８の処理に基づく。なおステップＳ２０６では「ＹＥＳ」であると判定されている。
【００３８】
このように操作者は本体表示部１１と携帯表示部２１との両方の表示を参照することができるので、容易にジョブリストの大局的な理解をすることができる。
＜設定動作＞
図１６は、本発明の実施の形態に係る画像形成装置の設定動作を示す図である。
設定動作は、画像形成に関する設定項目を設定させるための動作である。
【００３９】
画像形成装置１は、設定画面を本体表示部１１に表示させて（ステップＳ３０１）、設定画面に用意された選択肢を操作者に選択させることにより、選択肢に対応する下位階層の設定画面を表示させる（ステップＳ３０２）。さらに画像形成装置１は、選択された設定画面に用意された選択肢を操作者に選択させることにより、選択肢に対応する設定項目を設定する（ステップＳ３０３、Ｓ３０４）。
【００４０】
画像形成装置１は、操作者により設定終了の操作を受け付けるまで、ステップＳ３０２乃至Ｓ３０４の一連の処理を実行し、設定終了の操作を受付ければ、設定動作を終了する（ステップＳ３０５）。
以下に上記設定動作に基づく画面表示例を説明する。
本体表示部１１に「ＯＨＰ合紙」画面を表示させて、操作者の選択により「コピーしない」及び「Ｘ２００Ｙ１５０」を設定する（図１７（ａ））。この設定をした後に、本体表示部１１に「イレース」画面を表示させて、操作者の選択により「位置」及び「幅」を設定する（図１７（ｂ））。
＜設定内容確認動作＞
図１８は、本発明の実施の形態に係る画像形成装置の設定内容確認動作を示す図である。
【００４１】
設定内容確認動作は、画像形成に関する設定項目を確認するための動作である。
画像形成装置１は、操作パネルの設定確認キー３８が押下されたとき、設定内容表示画面を表示するための画面データを記憶部１３から取得する（ステップＳ４０１）。設定内容表示画面は、すでに設定された設定項目の種類及び内容を一覧表示するための画面である。設定された項目の数によっては、本体表示部１１だけでは一覧表示しきれない場合がある。このような時に、本実施の形態では連結表示を行う。
【００４２】
画像形成装置１は、本体表示部１１だけでは一覧表示しきれない場合（ステップＳ４０２：ＹＥＳ）、連結表示をするための表示画面処理を実施し（ステップＳ４０３）、携帯表示部２１及び本体表示部１１に設定内容表示画面を連結表示させる（ステップＳ４０４、Ｓ４０５）。一方、画像形成装置１は、本体表示部１１だけで一覧表示しきれる場合（ステップＳ４０２：ＮＯ）、本体表示部１１のみに設定内容表示画面を表示させる（ステップＳ４０５）。
【００４３】
画像形成装置１は、その後、操作者により画面移動操作又は設定内容確認動作の終了操作を受け付けるまで待機し（ステップＳ４０６：ＮＯ、Ｓ４０７：ＮＯ）、画面移動操作を受付ければ（ステップＳ４０６：ＹＥＳ）、更新画面を取得して（ステップＳ４０８）、新たに携帯表示部２１及び本体表示部１１に設定内容表示画面を連結表示させ（ステップＳ４０４、Ｓ４０５）、確認動作の終了操作を受付ければ（ステップＳ４０７：ＹＥＳ）、設定内容確認動作を終了する。
【００４４】
以下に上記設定内容確認動作に基づく画面表示例を説明する。
携帯表示部２１及び本体表示部１１に設定内容表示画面を連結表示させるとき、本体表示部１１にはイレース設定、ＯＨＰ合紙設定、連続読み込み設定、白黒反転設定が一覧表示され（図１９（ａ））、携帯表示部２１には仕上り設定、文字／写真設定、画質／濃度設定が一覧表示される（図１９（ｂ））。
＜マシン設定動作＞
図２０は、本発明の実施の形態に係る画像形成装置のマシン設定動作を示す図である。
【００４５】
画像形成装置１は、操作パネルのユーティリティ機能の選択キー３７が押下されたとき、ユーティリティ画面を表示するための画面データを記憶部１３から取得し（ステップＳ５０１）、取得した画面データに基づいて、本体表示部１１及び携帯表示部２１にユーティリティ画面を表示させる（ステップＳ５０２、Ｓ５０３）。
画像形成装置１は、操作者からユーティリティの項目選択を受付ければ（ステップＳ５０４：ＹＥＳ）、操作者により選択された画面を表示するための画面データを記憶部１３から取得し（ステップＳ５０７）、携帯表示部２１に表示させる（ステップＳ５０８）。画像形成装置１は、選択された画面に用意された選択肢を操作者に選択させることにより、選択肢に対応する設定項目を設定する（ステップＳ５０９）。
【００４６】
一方、画像形成装置１は、操作者から画面移動の操作を受付ければ（ステップＳ５０４：ＹＥＳ）、更新画面を取得して（ステップＳ５０５）、新たに携帯表示部２１及び本体表示部１１にユーティリティ画面を表示させる（ステップＳ５０２、Ｓ５０３）。
画像形成装置１は、操作者からマシン設定を終了する操作を受け付けるまで、ステップＳ５０２からステップＳ５０９までの一連の処理を繰り返す（ステップＳ５１０）。
【００４７】
以下に上記マシン設定動作に基づく画面表示例を説明する。
例えば操作者がユーティリティ設定の「４／６」を選択したうえで「４ｉｎ１ページ順指定」を選択したとき、本体表示部１１には「４／６」画面が表示され（図２１（ａ））、携帯表示部２１には「４ｉｎ１ページ順指定」画面が表示される（図２１（ｂ））。
上記表示状態において、操作者が「優先画質／濃度モード」を選択したとき、本体表示部１１には「４／６」画面が表示され（図２２（ａ））、携帯表示部２１には「優先画質／濃度モード」画面が表示される（図２２（ｂ））。
＜センサチェック動作＞
図２３は、本発明の実施の形態に係る画像形成装置のセンサチェック動作を示す図である。
【００４８】
センサチェック動作は、画像形成装置１に備えられた各種センサの検出結果を一覧表示させる動作である。
画像形成装置１は、操作パネルのセンサチェックキーが押下されたとき、初期設定画面を表示するための画面データを記憶部１３から取得する（ステップＳ６０１）。
画像形成装置１は、本体表示部１１だけでは一覧表示しきれない場合（ステップＳ６０２：ＹＥＳ）、連結表示をするための表示画面処理を実施し（ステップＳ６０３）、携帯表示部２１及び本体表示部１１に初期設定画面を連結表示させる（ステップＳ６０４、Ｓ６０５）。一方、画像形成装置１は、本体表示部１１だけで一覧表示しきれる場合（ステップＳ６０２：ＮＯ）、本体表示部１１のみに初期設定画面を表示させる（ステップＳ６０５）。
【００４９】
画像形成装置１は、その後、操作者により画面移動操作、カーソル操作又はセンサチェック動作の終了操作を受け付けるまで待機し（ステップＳ６０６：ＮＯ、Ｓ６０７：ＮＯ、Ｓ６０８：ＮＯ）、画面移動操作及びカーソル操作を受付ければ（ステップＳ６０６：ＹＥＳ、Ｓ６０７：ＹＥＳ）、更新画面を取得して（ステップＳ６０９）、新たに携帯表示部２１及び本体表示部１１に初期設定画面を連結表示させ（ステップＳ６０４、Ｓ６０５）、センサチェック動作の終了操作を受付ければ（ステップＳ６０８：ＹＥＳ）、センサチェック動作を終了する。
【００５０】
以下に上記センサチェック確認動作に基づく画面表示例を説明する。
携帯表示部２１及び本体表示部１１に初期設定画面を連結表示させるとき、本体表示部１１には「通紙センサ」及び「トレイ」に関する検出結果が表示され（図２４（ａ））、携帯表示部２１には「処理トレイ」、「ステープラ」及び「パンチ」に関する検出結果が表示される（図２４（ｂ））。
【００５１】
上記表示状態において、例えば操作者が「カーソル移動」を選択すれば、本体表示部１１には「トレイ」、「処理トレイ」及び「ステープラ」に関する検出結果が表示され（図２５（ａ））、携帯表示部２１には「パンチ」及び「サドル」に関する検出結果が表示される（図２５（ｂ））。
＜文字入力動作＞
図２６は、本発明の実施の形態に係る画像形成装置の文字入力動作を示す図である。
【００５２】
画像形成装置１は、操作者から入力項目の選択を受付けたとき（ステップＳ７０１）、文字入力画面を表示するための画面データを記憶部１３から取得し（ステップＳ７０２）、本体表示部１１に文字入力画面を表示する（ステップＳ７０３）。画像形成装置１は、操作者から文字入力を受付（ステップＳ７０４）、受け付けた文字を本体表示部１１に表示する（ステップＳ７０５）。このとき、受け付けた文字の量が大きく、本体表示部１１だけでは一覧表示しきれない場合（ステップＳ７０６：ＹＥＳ）、画像形成装置１は、表示画面処理を実施し（ステップＳ７０７）、受け付けた文字を携帯表示部２１に表示させる（ステップＳ７０８）。一方、画像形成装置１は、本体表示部１１だけで一覧表示しきれる場合（ステップＳ７０６：ＮＯ）、ステップＳ７０７、Ｓ７０８をスキップする。画像形成装置１は、文字入力を終了する操作を受け付けるまでステップＳ７０４からステップＳ７０８までの一連の処理を繰り返し、文字入力を終了する操作を受付ければ文字入力動作を終了する（ステップＳ７０９）。
【００５３】
以下に上記文字入力動作に基づく画面表示例を説明する。
本体表示部１１には文字キー群が表示されるとともに、入力された文字が表示される（図２４（ａ））。携帯表示部２１には本体表示部１１に表示されたウィンドウに、入力された文字が全て表示できない場合に、入力された文字が表示される（図２７（ｂ））。
以上、本発明に係る画像形成装置について、実施の形態に基づいて説明したが、本発明はこれらの実施の形態に限られない。例えば、以下のような変形例が考えられる。
（１）実施の形態では、最上位階層にある設定画面、あるいは、ひとつ上位の階層の設定画面を補助的に表示させている。しかしながら、本発明は、ひとつ上位の階層の設定画面から最上位階層にある設定画面まで階層構造を遡る経路にある設定画面であれば、いずれの設定画面を表示させることとしてもよい。
（２）実施の形態では、本体表示部１１に補助的な設定画面を表示させていたが、本発明は、これに限らず、携帯表示部２１に補助的な設定画面を表示させることとしてもよい。
【産業上の利用可能性】
【００５４】
本発明は、例えば、MFPに利用可能である。
【図面の簡単な説明】
【００５５】
【図１】本発明の実施の形態に係る画像形成装置、携帯端末及びこれらからなるシステムの構成を示す図である。
【図２】操作部１２の外観を示す図である。
【図３】本発明の実施の形態に係る画像形成装置の基本動作を示す図である。
【図４】基本動作に基づく画面表示例である。
【図５】基本動作に基づく画面表示例である。
【図６】基本動作に基づく画面表示例である。
【図７】基本動作に基づく画面表示例である。
【図８】基本動作に基づく画面表示例である。
【図９】基本動作に基づく画面表示例である。
【図１０】基本動作に基づく画面表示例である。
【図１１】本発明の実施の形態に係る画像形成装置のジョブリスト確認動作を示す図である。
【図１２】ジョブリスト確認動作に基づく画面表示例である。
【図１３】ジョブリスト確認動作に基づく画面表示例である。
【図１４】ジョブリスト確認動作に基づく画面表示例である。
【図１５】ジョブリスト確認動作に基づく画面表示例である。
【図１６】本発明の実施の形態に係る画像形成装置の設定動作を示す図である。
【図１７】設定動作に基づく画面表示例である。
【図１８】本発明の実施の形態に係る画像形成装置の設定内容確認動作を示す図である。
【図１９】設定内容確認動作に基づく画面表示例である。
【図２０】本発明の実施の形態に係る画像形成装置のマシン設定動作を示す図である。
【図２１】マシン設定動作に基づく画面表示例である。
【図２２】マシン設定動作に基づく画面表示例である。
【図２３】本発明の実施の形態に係る画像形成装置のセンサチェック動作を示す図である。
【図２４】センサチェック動作に基づく画面表示例である。
【図２５】センサチェック動作に基づく画面表示例である。
【図２６】本発明の実施の形態に係る画像形成装置の文字入力動作を示す図である。
【図２７】文字入力動作に基づく画面表示例である。
【符号の説明】
【００５６】
１    画像形成装置
２    携帯端末
１１    本体表示部
１２    操作部
１３    記憶部
１４    画像読取部
１５    画像形成部
１６    認証部
１７    通信部
１８    制御部
１８１    主表示制御部
１８２    補助表示制御部
２１    携帯表示部
２２    操作部
２３    記憶部
２４    通信部
２５    制御部
３１    画像読取機能の選択キー
３２    画像形成機能の選択キー
３３    数値キー群
３４    スタートキー
３５    停止キー
３６    リセットキー
３７    ユーティリティ機能の選択キー
３８    設定確認キー
３９    画面操作キー群
【図１】
2008224977.tif 000003
【図２】
2008224977.tif 000004
【図３】
2008224977.tif 000005
【図４】
2008224977.tif 000006
【図１０】
2008224977.tif 000007
【図１１】
2008224977.tif 000008
【図１２】
2008224977.tif 000009
【図１３】
2008224977.tif 000010
【図１４】
2008224977.tif 000011
【図１５】
2008224977.tif 000012
【図１６】
2008224977.tif 000013
【図１８】
2008224977.tif 000014
【図２０】
2008224977.tif 000015
【図２３】
2008224977.tif 000016
【図２４】
2008224977.tif 000017
【図２５】
2008224977.tif 000018
【図２６】
2008224977.tif 000019
【図２７】
2008224977.tif 000020
【図５】
2008224977.tif 000021
【図６】
2008224977.tif 000022
【図７】
2008224977.tif 000023
【図８】
2008224977.tif 000024
【図９】
2008224977.tif 000025
【図１７】
2008224977.tif 000026
【図１９】
2008224977.tif 000027
【図２１】
2008224977.tif 000028
【図２２】
2008224977.tif 000029